(57)【特許請求の範囲】
【請求項１】
可変容量圧縮機、室外熱交換器、送風機、冷媒液側主管、冷媒ガス側主管を有する１台の室外機と、熱交換器及び送風機を有する複数台の室内機を、冷媒液が流れる前記冷媒液側主管から分岐した液側分岐管、及び冷媒ガスが流れる前記冷媒ガス側主管から分岐したガス側分岐管を介して接続し、前記冷媒液側主管から前記室内機の間に弁開度を制御可能とした電動膨張弁を介装して冷凍サイクルを構成し、前記室内機の各々に室内温度の設定値を記憶する室内温度設定記憶装置と、室内温度を検出する室内温度検出装置と、前記室内温度設定記憶装置と前記室内温度検出装置とから設定室内温度と室内温度との差温を算出する差温算出装置と、前記差温が取りうる温度範囲を複数個の温度ゾーンに分割して記憶する温度ゾーン記憶装置と、前記室内機が運転か停止かを記憶する運転停止記憶装置とを設け、前記温度ゾーン記憶置と、前記運転停止記憶装置の信号により、前記室内機の送風機と前記可変容量圧縮機と前記電動膨張弁とを制御する制御装置を有し、前記各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、前記急速運転設定記憶装置の信号により、前記各々の室内機の送風機と前記可変容量圧縮機と前記膨張弁を制御する制御装置を設け、前記急速運転記憶装置の信号の有無に応じて、前記差温の補正値を設定し、前記急速運転記憶装置の信号が有る場合に所定の補正値を前記差温に加える差温補正値設定装置を設けた多室型空気調和装置。
【請求項２】
前記各々の室内機に前記温度ゾーン記憶装置と温度ゾーンのしきい値を記憶する温度ゾーンしきい値記憶装置を設け、前記急速運転設定記憶装置と前記温度ゾーンしきい値記憶装置と前記温度ゾーン記憶装置の信号により、運転中でかつ前記急速運転設定記憶装置に急速運転の設定がない室内機の前記差温の補正値を設定する差温補正値設定装置を設けた請求項１に記載の多室型空気調和装置。
【請求項３】
前記各々の室内機に、前記急速運転設定記憶装置に急速運転の設定がされてからの時間を計数する時間計数装置と計数時間のしきい値を記憶する計数時間しきい値記憶装置を設け、前記時間計数装置と計数時間しきい値記憶装置の信号により、前記差温補正装置に設定された前記差温の補正値を元に戻すことを特徴とする請求項１あるいは２に記載の多室型空気調和装置。
【請求項４】
前記各々の室内機に前記温度ゾーン記憶装置と温度ゾーンのしきい値を記憶する温度ゾーンしきい値記憶装置を設け、前記急速運転設定記憶装置と前記温度ゾーンしきい値記憶装置と前記温度ゾーン記憶装置の信号により、運転中でかつ前記急速運転設定記憶装置に急速運転の設定がない室内機を停止する請求項１に記載の多室型空気調和装置。
【請求項５】
前記各々の室内機に、前記急速運転設定記憶装置に急速運転の設定がされてからの時間を計数する時間計数装置と計数時間のしきい値を記憶する計数時間しきい値記憶装置を設け、前記時間計数装置と計数時間しきい値記憶装置の信号により、停止した室内機を再運転することを特徴とする請求項４に記載の多室型空気調和装置。
【発明の詳細な説明】
【０００１】
【発明の属する技術分野】
本発明は、１台の室外機に複数台の室内機を接続し、電動膨張弁にて冷媒流量を制御する多室形空気調和システムに関する。
【０００２】
【従来の技術】
近年、１台の室外機に複数台の室内機を接続した多室形空気調和システムが、室外の省スペース性やエクステリア性や少ない電源容量の点でその需要を伸ばしている。従来、この多室形空気調和システムにおいて、容量（周波数）可変形
圧縮機を用い、冷凍サイクルの液側冷媒配管に、各室内機への冷媒流量を制御する冷媒流量制御装置を設け、室外機の容量と各室内機の容量との比較により圧縮機容量を制御し、各室内機への冷媒流量を制御するものが提案されている（例えば特開平６−２５７８２７号公報）。
【０００３】
以下、図面を参照しながら上記従来の多室形空気調和システムについて説明する。図１２は、従来の多室形空気調和システムの冷凍サイクル図である。この
多室形空気調和システムは１台の室外機１０２と複数台の室内機、本従来例では３台の室内機１０１ａ、１０１ｂ、１０１ｃを接続して構成される。
【０００４】
室外機１０２内にはインバータ駆動の周波数可変形圧縮機１０３（以下単に圧縮機と称す）、室外熱交換器１０４、冷暖房切換用の四方弁１０５が設けられ、また室内機１０１ａ、１０１ｂ、１０１ｃ内にそれぞれ室内熱交換器１０６ａ、１０６ｂ、１０６ｃが設けられている。液側主管１０７は液側分岐管１０７ａ，１０７ｂ，１０７ｃとに分岐されている。そして液側分岐管それぞれには電動膨張弁１０８ａ、１０８ｂ、１０８ｃが設けられている。室内機１０１ａ、１０１ｂ、１０１ｃとは、液側分岐管１０７ａ、１０７ｂ、１０７ｃおよびガス側分岐管１０９ａ，１０９ｂ、１０９ｃとで接続されている。また、各室内機１０１ａ、１０１ｂ、１０１ｃには各室内機が設置されている部屋の室温を検出する室内温度センサ１１０ａ、１１０ｂ、１１０ｃおよび居住者が希望する運転モード（冷房または暖房）と室温と運転、停止を設定できる運転設定装置１１１ａ、１１１ｂ、１１１ｃと、急速運転を設定できる急速運転運転設定装置１１２ａ、１１２ｂ、１１２ｃが設けられている。
【０００５】
この冷凍サイクルにおいて、冷房時は圧縮機１０３から吐出された冷媒は、四方弁１０５より室外熱交換器１０４へ流れてここで室外空気と熱交換して凝縮液化する。そして、液側主管１０７を流れて分岐機内部の液側分岐管１０７ａ、１０７ｂ、１０７ｃへと分岐する。電動膨張弁１０８ａ、１０８ｂ、１０８ｃの弁開度は、それぞれの部屋の負荷に見合った開度になるように制御されるため、冷媒もそれぞれの負荷に応じた流量で低圧となって室内熱交換器１０６ａ、１０６ｂ、１０６ｃへと流れて蒸発した後、ガス側分岐管１０９ａ、１０９ｂ、１０９ｃよりガス側主管１０９、四方弁１０５を通過して再び圧縮機１０３に吸入される。また、圧縮機周波数は総負荷に応じて決定される。
【０００６】
暖房時は圧縮機１０３から吐出された冷媒は、四方弁１０５を切換えてガス側主管１０９よりガス側分岐管１０９ａ、１０９ｂ、１０９ｃへと分岐し、室内熱交換器１０６ａ、１０６ｂ、１０６ｃへと流れて凝縮液化し、液側分岐管１０７ａ、１０７ｂ、１０７ｃ上の電動膨張弁１０８ａ、１０８ｂ、１０８ｃで減圧されてる。電動膨張弁１０８ａ、１０８ｂ、１０８ｃの弁開度は、冷房時と同様にれぞれの部屋の負荷に見合った開度に制御されるため、冷媒もそれに応じた流量で室内熱交換器１０６ａ、１０６ｂ、１０６ｃを流れ、室外熱交換器１０４を流れて蒸発した後、四方弁１０５を通過して再び圧縮機１０３に吸入される。また、圧縮機周波数は冷房時と同様に総負荷に応じて決定される。
【０００７】
次に、圧縮機周波数および電動膨張弁開度の制御方法について説明する。図１３は圧縮機周波数および電動膨張弁開度の制御の流れを示すブロック図、図１４は室内温度Ｔｒと設定温度Ｔｓとの差温△Ｔの温度ゾーン分割図、図１５は負荷テーブル図である。
【０００８】
まず、室内機１ａにおいて、室内温度センサ１１０ａの出力を室内温度検出装置１１３ａより温度信号として差温演算装置１１４に送出し、また室内温度設定記憶装置１１５にて運転設定装置１１１ａで設定された設定温度および運転モードを判別して、差温演算装置１１４に送出する。ここで、差温△Ｔ（＝Ｔｒ−Ｔｓ）を算出し、図１４に示す負荷ナンバーＬｎ値に変換してこれを差温信号とする。たとえば、冷房運転時でＴｒ＝２６．３℃、Ｔｓ＝２６℃とすると、差温△Ｔ＝０．３℃でＬｎ＝４となる。
【０００９】
しかし、冷房運転時でＴｒ＝２９．３℃、Ｔｓ＝２６℃とすると、差温△Ｔ＝３．３℃でＬｎ＝８の領域に有るが、急速運転の設定がされていない場合は、最大負荷がＬｎ＝７に制限されるようになっている。さらに定格容量記憶装置１１６に室内機１０１ａの定格容量を記憶しておく。
【００１０】
急速運転設定装置１１２ａでは、冷房運転、除湿運転あるいは暖房運転の開始時に短時間で室温を下げ、あるいは室温を上げるための急速運転を設定できる。
【００１１】
急速運転設定装置１１２ａからの信号は信号受信装置１１７に送られるともに、急速運転設定記憶装置１１８で記憶さる。これらの定格容量信号、差温信号、運転モード信号、急速運転信号等が信号送出装置１１９より室外機１０２の信号受信装置１２０へられる。室内機１０１ｂ、１０１ｃからも同様の信号が信号受信装置１２０へ送られる。信号受信装置１２０で受けた信号は、図１５に示す負荷定数テーブル１２１から負荷定数を設定し、所定の計算を行うことにより運転周波数、膨張弁開度を決定する。
【００１２】
一例として、冷房時の運転開始時において、室内機１０１ａ、１０１ｂ、１０１ｃからの信号が下記表１の場合について説明する。
【００１３】
【表１】
0004151219.tif 000002
【００１４】
風量はすべてＭｅ＋の設定とする。
【００１５】
例えば冷房運転時でａ室停止、ｂ室Ｔｒ＝２７．８℃、Ｔｓ＝２６℃、ｃ室Ｔｒ＝２７．６℃、Ｔｓ＝２６℃とすると、差温ΔＴｂ＝１．８℃でＬｎ＝７、差温ΔＴｃ＝１．６℃でＬｎ＝７となり、室内機１０１ａ、１０１ｂ、１０１ｃの負荷定数はそれぞれ０、２．５、３．２となり、したがって圧縮機４の周波数Ｈｚは、Ａを定数とすると
Ｈｚ＝Ａ×（０＋２．５＋３．２）＝Ａ×５．７
となる。
【００１６】
圧縮機１０３の運転許容値は室内機１０１ａ、１０１ｂ、１０１ｃの定格容量に相当する２．０、２．５、３．２の合計値７．７とすれば、周波数の演算結果は圧縮機１０３の運転許容値に達しておらず、約２５％の余裕度を残しており、この演算結果を周波数信号として圧縮機駆動装置（図示せず）に送出して、圧縮機１０３の周波数制御を行う。以降、所定周期毎に室内機１０１ａ、１０１ｂ、１０１ｃのそれぞれの定格容量信号、差温信号、運転モード信号より演算を行い、演算結果を周波数信号として圧縮機駆動装置（図示せず）に送出して圧縮機１０３の周波数制御を行う。
【００１７】
次に、表２（ａ）のように室内機１０１ａ、１０１ｂが低負荷で運転中に、表２（ｂ）のように室内機１０１ｃを急速運転での運転を開始した場合について説明する。
【００１８】
【表２】
0004151219.tif 000003
【００１９】
室内機１０１ａ、１０１ｂ、１０１ｃの負荷定数はそれぞれ０．８、１．０、３．８となり、したがって圧縮機１０３の周波数Ｈｚは、同様に
Ｈｚ＝Ａ×（０．８＋１．０＋３．８）＝Ａ×５．６
となり、周波数の演算結果は圧縮機４の運転許容値に達しておらず、約２５％の余裕度を残しており、この演算結果を周波数信号として圧縮機駆動装置（図示せず）に送出して、圧縮機１０３の周波数制御を行う。以降、所定周期毎に室内機１０１ａ、１０１ｂ、１０１ｃのそれぞれの定格容量信号、差温信号、運転モード信号より演算を行い、演算結果を周波数信号として圧縮機駆動装置（図示せず）に送出して圧縮機１０３の周波数制御を行う。上記説明は、主に冷房時について行ったが、暖房時についても同様に制御可能である。
【００２０】
このように、急速運転の設定のない室内機に対しては、その負荷に応じた能力を供給し、急速運転の設定のある室内機にのみ、室内機の定格容量を上回る能力を目標に、余裕ある室外能力を供給するよう圧縮機周波数と室内風量を制御するため、設定温度に到達するまでの時間を早くすることができ、快適性の向上および省エネルギ−を図ることができる。
【００２１】
【発明が解決しようとする課題】
しかしながら、上記従来の構成では、室外機に余裕がある場合は、大能力の運転が可能だが、例えばの表３ように室内機１０１ａ、１０１ｂの負荷がＬｎ＝７の場合には、
Ｈｚ＝Ａ×（２．０＋２．５＋３．８）＝Ａ×８．３となり、圧縮機１０３の運転許容値を越えるため、周波数はＨｚ＝Ａ×７．７となる圧縮機１０３の運転許容値として、圧縮機駆動装置に送出して、圧縮機１０３の周波数制御を行ため、急速運転スイッチをしたＣ室の能力も制限されてしまう。
【００２２】
【表３】
0004151219.tif 000004
【００２３】
一方、以上様な能力制限を回避する為に、急速運転の設定されていない室内機の設定温度を変更しサーモオフしやすいように制御するものが提案されているが（特開平０９−１４５１３０号公報）、設定温度を一時的にでも変更すると、近年の空気調和装置の機能の特徴の一つであるお知らせ表示（設定温度や現在の室内・室外温度を表示するもの）が設定温度とは違った表示をしてしまう。これを回避するためには、設定温度を記憶する装置とは別に変更した設定温度を記憶する部分を持つ必要がああり、制御が複雑になると同時に、コストが増大するというデメリットが生じる。
【００２４】
【課題を解決するための手段】
上記課題を解決するために、本発明は、可変容量圧縮機、室外熱交換器、送風機、冷媒液側主管、冷媒ガス側主管を有する１台の室外機と、熱交換器及び送風機を有する複数台の室内機を、冷媒液が流れる冷媒液側主管から分岐した液側分岐管、及び冷媒ガスが流れる前記冷媒ガス側主管から分岐したガス側分岐管を介して接続し、冷媒液側主管から室内機の間に弁開度を制御可能とした電動膨張弁を介装して冷凍サイクルを構成し、室内機の各々に室内温度の設定値を記憶する室内温度設定記憶装置と、室内温度を検出する室内温度検出装置と、室内温度設定記憶装置と室内温度検出装置とから設定室内温度と室内温度との差温を算出する差温算出装置と、差温が取りうる温度範囲を複数個の温度ゾーンに分割して記憶する温度ゾーン記憶装置と、室内機が運転か停止かを記憶する運転停止記憶装置とを設け、温度ゾーン記憶置と、前記運転停止記憶装置の信号により、前記室内機の送風機と可変容量圧縮機と電動膨張弁とを制御する制御装置を有し、各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、急速運転設定記憶装置の信号により、圧縮機の能力を増大し、急速運転設定がない室内機への冷媒の分流を減少させ、急速運転記憶装置に急速運転の設定がされた室内機の送風機の風量を増加させ、かつ冷媒の分流を増大させるように、各々の室内機の送風機と可変容量圧縮機と膨張弁を制御する制御装置を設けたものである。
【００２５】
上記の発明によって、冷房時に短時間で温度を下げたい（暖房時は上げたい）部屋に圧縮機のパワーを一時的に集中させることが可能となる。
【００２６】
【発明の実施の形態】
請求項１に記載の発明は、可変容量圧縮機、室外熱交換器、送風機、冷媒液側主管、冷媒ガス側主管を有する１台の室外機と、熱交換器及び送風機を有する複数台の室内機を、冷媒液が流れる冷媒液側主管から分岐した液側分岐管、及び冷媒ガスが流れる冷媒ガス側主管から分岐したガス側分岐管を介して接続し、冷媒液側主管から室内機の間に弁開度を制御可能とした電動膨張弁を介装して冷凍サイクルを構成し、室内機の各々に室内温度の設定値を記憶する室内温度設定記憶装置と、室内温度を検出する室内温度検出装置と、室内温度設定記憶装置と室内温度検出装置とから室内温度と室内温度との差温を算出する差温算出装置と、差温が取りうる温度範囲を複数個の温度ゾーンに分割して記憶する温度ゾーン記憶装置と、室内機が運転か停止かを記憶する運転停止記憶装置とを設け、温度ゾーン記憶置と、運転停止記憶装置の信号により、室内機の送風機と可変容量圧縮機と電動膨張弁とを制御する制御装置を有し、各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、急速運転設定記憶装置の信号により、各々の室内機の送風機と可変容量圧縮機と膨張弁を制御する制御装置を設け、急速運転記憶装置の信号の有無に応じて、前記差温の補正値を設定し、前記急速運転記憶装置の信号が有る場合に所定の補正値を前記差温に加える差温補正値設定装置を設けたものである。
【００２７】
そしてこの構成によれば、短時間で温度を下げたい（暖房時は上げたい）部屋に圧縮機のパワーを一時的に集中させることが可能となる。
【００２８】
請求項２に記載の発明は、可変容量圧縮機、室外熱交換器、送風機、冷媒液側主管、冷媒ガス側主管を有する１台の室外機と、熱交換器及び送風機を有する複数台の室内機を、冷媒液が流れる冷媒液側主管から分岐した液側分岐管、及び冷媒ガスが流れる冷媒ガス側主管から分岐したガス側分岐管を介して接続し、冷媒液側主管から室内機の間に弁開度を制御可能とした電動膨張弁を介装して冷凍サイクルを構成し、室内機の各々に室内温度の設定値を記憶する室内温度設定記憶装置と、室内温度を検出する室内温度検出装置と、室内温度設定記憶装置と室内温度検出装置とから室内温度と室内温度との差温を算出する差温算出装置と、差温が取りうる温度範囲を複数個の温度ゾーンに分割して記憶する温度ゾーン記憶装置と、室内機が運転か停止かを記憶する運転停止記憶装置とを設け、温度ゾーン記憶置と、運転停止記憶装置の信号により、室内機の送風機と可変容量圧縮機と電動膨張弁とを制御する制御装置を有し、各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、各々の室内機に温度ゾーン記憶装置と温度ゾーンのしきい値を記憶する温度ゾーンしきい値記憶装置を設け、急速運転設定記憶装置と温度ゾーンしきい値記憶装置と温度ゾーン記憶装置の信号により、運転中でかつ急速運転設定記憶装置に急速運転の設定がない室内機の差温の補正値を設定する差温補正値設定装置を設けたものである。
【００２９】
そしてこの構成によれば、より一層、短時間で温度を下げたい（暖房時は上げたい）部屋に圧縮機のパワーを一時的に集中させることが可能となる。また、負荷が小さい（設定温度と吸込み検知温度の差が小さい）部屋のみの空気調和機の性能を抑制する為に、他室の快適性の影響が少なくなる。
【００３０】
請求項３に記載の発明は、可変容量圧縮機、室外熱交換器、送風機、冷媒液側主管、冷媒ガス側主管を有する１台の室外機と、熱交換器及び送風機を有する複数台の室内機を、冷媒液が流れる冷媒液側主管から分岐した液側分岐管、及び冷媒ガスが流れる冷媒ガス側主管から分岐したガス側分岐管を介して接続し、冷媒液側主管から室内機の間に弁開度を制御可能とした電動膨張弁を介装して冷凍サイクルを構成し、室内機の各々に室内温度の設定値を記憶する室内温度設定記憶装置と、室内温度を検出する室内温度検出装置と、室内温度設定記憶装置と室内温度検出装置とから室内温度と室内温度との差温を算出する差温算出装置と、差温が取りうる温度範囲を複数個の温度ゾーンに分割して記憶する温度ゾーン記憶装置と、室内機が運転か停止かを記憶する運転停止記憶装置とを設け、温度ゾーン記憶置と、運転停止記憶装置の信号により、室内機の送風機と可変容量圧縮機と電動膨張弁とを制御する制御装置を有し、各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、各々の室内機に温度ゾーン記憶装置と温度ゾーンのしきい値を記憶する温度ゾーンしきい値記憶装置を設け、急速運転設定記憶装置と温度ゾーンしきい値記憶装置と温度ゾーン記憶装置の信号により、運転中でかつ急速運転設定記憶装置に急速運転の設定がない室内機の差温の補正値を設定する差温補正値設定装置と、急速運転設定記憶装置に急速運転の設定がされてからの時間を計数する時間計数装置と計数時間のしきい値を記憶する計数時間しきい値記憶装置を設け、時間計数装置と計数時間しきい値記憶装置の信号により、差温補正装置に設定された差温の補正値を元に戻す制御装置を設けたものである。
【００３１】
そしてこの構成によれば、短時間で温度を下げたい（暖房時は上げたい）部屋に圧縮機のパワーを一時的に集中させることが可能となる。また、負荷が小さい（設定温度と吸込み検知温度の差が小さい）部屋のみ、ある一定時間のみ空気調和機の性能を抑制する為に、他室の快適性の影響が少なくなる。
【００３２】
請求項４に記載の発明は、可変容量圧縮機、室外熱交換器、送風機、冷媒液側主管、冷媒ガス側主管を有する１台の室外機と、熱交換器及び送風機を有する複数台の室内機を、冷媒液が流れる冷媒液側主管から分岐した液側分岐管、及び冷媒ガスが流れる冷媒ガス側主管から分岐したガス側分岐管を介して接続し、冷媒液側主管から室内機の間に弁開度を制御可能とした電動膨張弁を介装して冷凍サイクルを構成し、室内機の各々に室内温度の設定値を記憶する室内温度設定記憶装置と、室内温度を検出する室内温度検出装置と、室内温度設定記憶装置と室内温度検出装置とから室内温度と室内温度との差温を算出する差温算出装置と、差温が取りうる温度範囲を複数個の温度ゾーンに分割して記憶する温度ゾーン記憶装置と、室内機が運転か停止かを記憶する運転停止記憶装置とを設け、温度ゾーン記憶置と、運転停止記憶装置の信号により、室内機の送風機と可変容量圧縮機と電動膨張弁とを制御する制御装置を有し、各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、各々の室内機に温度ゾーン記憶装置と温度ゾーンのしきい値を記憶する温度ゾーンしきい値記憶装置を設け、急速運転設定記憶装置と温度ゾーンしきい値記憶装置と温度ゾーン記憶装置の信号により、運転中でかつ急速運転設定記憶装置に急速運転の設定がない室内機を停止し、冷媒を分流する膨張弁を閉じる制御装置を設けたものである。
【００３３】
そしてこの構成によれば、より一層、短時間で温度を下げたい（暖房時は上げたい）部屋に圧縮機のパワーを一時的に集中させることが可能となる。また、負荷が小さい（設定温度と吸込み検知温度の差が小さい）部屋のみの空気調和機の性能を抑制する為に、他室の快適性の影響が少なくなる。
【００３４】
請求項５に記載の発明は、可変容量圧縮機、室外熱交換器、送風機、冷媒液側主管、冷媒ガス側主管を有する１台の室外機と、熱交換器及び送風機を有する複数台の室内機を、冷媒液が流れる冷媒液側主管から分岐した液側分岐管、及び冷媒ガスが流れる冷媒ガス側主管から分岐したガス側分岐管を介して接続し、冷媒液側主管から室内機の間に弁開度を制御可能とした電動膨張弁を介装して冷凍サイクルを構成し、室内機の各々に室内温度の設定値を記憶する室内温度設定記憶装置と、室内温度を検出する室内温度検出装置と、室内温度設定記憶装置と室内温度検出装置とから室内温度と室内温度との差温を算出する差温算出装置と、差温が取りうる温度範囲を複数個の温度ゾーンに分割して記憶する温度ゾーン記憶装置と、室内機が運転か停止かを記憶する運転停止記憶装置とを設け、温度ゾーン記憶置と、運転停止記憶装置の信号により、室内機の送風機と可変容量圧縮機と電動膨張弁とを制御する制御装置を有し、各々の室内機に冷房運転、除湿運転あるいは暖房運転の開始時に短時間で室温を下げ、あるいは室温を上げるための急速運転を行う急速運転設定装置と、急速運転の設定を記憶する急速運転設定記憶装置と、各々の室内機に温度ゾーン記憶装置と温度ゾーンのしきい値を記憶する温度ゾーンしきい値記憶装置を設け、急速運転設定記憶装置と温度ゾーンしきい値記憶装置と温度ゾーン記憶装置の信号により、運転中でかつ急速運転設定記憶装置に急速運転の設定がない室内機停止し、冷媒を分流する膨張弁を閉じる制御装置を設け，急速運転設定記憶装置に急速運転の設定がされてからの時間を計数する時間計数装置と計数時間のしきい値を記憶する計数時間しきい値記憶装置を設け、時間計数装置と計数時間しきい値記憶装置の信号により、停止した室内機を再運転させ、冷媒を分流する膨張弁を開ける制御装置を設けたものである。
【００３５】
そしてこの構成によれば、短時間で温度を下げたい（暖房時は上げたい）部屋に圧縮機のパワーを一時的に集中させることが可能となる。また、負荷が小さい（設定温度と吸込み検知温度の差が小さい）部屋のみ、ある一定時間のみ空気調和機の性能を抑制する為に、他室の快適性の影響が少なくなる。
【００３６】
（実施例）
以下、本発明の実施例について、図面を参照しながら説明する。図１は、本発明にかかる多室形空気調和装置の冷凍サイクル図の１例であり、１台の室外機２に複数台（例えば３台）の室内機１ａ、１ｂ、１ｃを接続した場合を示している。図２は、本発明にかかる多室形空気調和装置の冷凍サイクル図の別の１例であり、１台の室外機２に分岐ユニット１６を接続し複数台（例えば３台）の室内機１ａ、１ｂ、１ｃを接続した場合を示している。この図２の冷凍サイクルでも今回の構成の範囲とし、効果も同じである。
【００３７】
図１において、室外機２にはインバータ駆動の容量（周波数）可変形圧縮機３（以下単に圧縮機と称す）と、室外熱交換器４と、冷媒液側主管５と、冷媒ガス側主管６と、冷暖房切換用の四方弁７が設けられている。一方、室内機１ａ，１ｂ，１ｃには室内熱交換器８ａ，８ｂ，８ｃ、室内送風機９ａ、９ｂ、９ｃがそれぞれ設けられていて、室外機２と室内機１ａ、１ｂ、１ｃは冷媒液側主管５より分岐した液側分岐管５ａ，５ｂ，５ｃ及び冷媒ガス側主管６より分岐したガス側分岐管６ａ，６ｂ，６ｃとで接続されており、液側分岐管５ａ，５ｂ，５ｃには、例えばステッピングモータ等により弁開度をパルス制御可能な電動冷媒分配膨張弁１０ａ，１０ｂ，１０ｃがそれぞれ介装されている。
【００３８】
また、室内機１ａ，１ｂ，１ｃには部屋の室温を検出する室内温度センサ１１ａ，１１ｂ，１１ｃ、居住者が希望する運転モード（冷房または暖房）と室温と運転あるいは停止を設定できる運転設定装置１２ａ，１２ｂ，１２ｃ、急速運転を設定できる急速運転運転設定装置１３ａ，１３ｂ，１３ｃが設けられている。
【００３９】
また図２において、分岐ユニット１６の中に冷媒液側主管５より分岐した液側分岐管５ａ，５ｂ，５ｃ及び冷媒ガス側主管６より分岐したガス側分岐管６ａ，６ｂ，６ｃを設けており、液側分岐管５ａ，５ｂ，５ｃには、例えばステッピングモータ等により弁開度をパルス制御可能な電動冷媒分配膨張弁１０ａ，１０ｂ，１０ｃがそれぞれ介装されている。
【００４０】
上記構成の冷凍サイクルにおいて、冷房あるいは除湿運転時、圧縮機３から吐出された冷媒は四方弁７を介して室外熱交換器４と流れ、室外送風機１５の駆動により室外熱交換器４で室外空気と熱交換して凝縮液化し、冷媒液側主管５を通り液側分岐管５ａ，５ｂ，５ｃにて冷媒分配させ冷媒分配膨張弁１０ａ，１０ｂ，１０ｃで複数の室内機に分配された冷媒を流量制御して室内機１ａ，１ｂ，１ｃ，で蒸発した後に、ガス側分岐から冷媒ガス側主管６に合流して四方弁７、アキュムレータ−１６を介して再び圧縮機３に吸入される。この冷媒分配膨張弁１０ａ，１０ｂ，１０ｃは室内の負荷に見合った開度となるようにステッピングモータ等によりパルス制御されるため、冷媒も室内負荷に応じた流量で制御される。
【００４１】
第３図は本発明にかかる多室形空気調和装置の室内機の断面図であり、室内機１ａ本体上部及び前部には複数の吸込口１７が形成されるとともに、本体下部には吹出口１８が形成されている。また、吸込口１７と吹出口１８とを連通する空気通路１９には室内熱交換器１１ａと室内送風機９ａが設けられており、吹出口１８には風向変更羽根２０が揺動自在に取り付けられている。室内温度センサ１１ａは本体の中に配置されている。
【００４２】
第４図は本発明にかかる多室型空気調和装置の信号の流れを示すブロック図である。まず、室内機１ａにおいて、室内温度センサ１１ａの出力を室内温度検出装置２１より温度信号として差温算出装置２２に送出する一方、運転設定装置１２ａからの信号を信号受信装置２３で受けて運転設定装置１２ａで設定された温度設定を室内温度設定記憶装置２４で記憶されその温度設定を差温算出装置２２に送出し、ここで差温ΔＴ（＝Ｔｒ−Ｔｓ）を算出し、差温信号とする。この室内温度をＴｒとし設定温度をＴｓとする。
【００４３】
運転設定装置１２ａでは、温度設定の他に運転停止信号、冷房・除湿・暖房等の運転モード、風量設定、風量自動、風向設定、風向自動が設定できるものである。
【００４４】
また、運転停止記憶装置２５て、運転設定装置１２ａで設定された信号を信号受信装置２３で受信し室内機１ａの運転（ＯＮ）あるいは停止（ＯＦＦ）を記憶する。また、運転モード記憶装置２６にて、運転設定装置１２ａで設定された信号を信号受信装置２３で受信し室内機１ａの冷房・除湿・暖房等どれかの運転モードを記憶する。
【００４５】
さらに、風量モード記憶装置２７にて、運転設定装置１２ａで設定された信号を信号受信装置２３で受信し、室内機１ａの風量の設定値（自動あるいはＨｉ、Ｍｅ＋、Ｍｅ、Ｍｅ−、Ｌｏの５速のうちどれか１つ）を記憶し、送風機電圧設定装置２８に室内送風機９ａに印加電圧が設定される。
【００４６】
急速運転設定装置１３ａでは、冷房運転、除湿運転あるいは暖房運転の開始時に短時間で室温を下げ、あるいは室温を上げるための急速運転を設定できる。急速運転設定装置１３ａからの信号は信号受信装置２３に送られるともに、急速運転設定記憶装置２９で記憶さる。
【００４７】
また、時間計数装置３０にて、運転設定装置１２ａで設定された信号を信号受信装置２３で受信してからの経過時間を計数する。
【００４８】
さらに、定格容量記憶装置３１に室内機１ａの定格容量を記憶しておき、これらの定格容量信号、差温信号、運転モード信号、運転停止信号、室内温度信号、急速運転信号、計数時間信号を信号送出装置３２より室外機２の信号受信装置３３へ送出する。
【００４９】
信号受信装置３３で受信した信号は、圧縮機周波数演算装置３４と冷媒分配膨張弁開度演算装置３５へ送出される。圧縮機周波数演算装置３４で求められた演算結果は、周波数信号として圧縮機駆動装置（図示せず）に送出され、圧縮機３の周波数制御が行われる。また、冷媒分配膨張弁開度演算装置３５にて、冷媒分配比率を演算して各冷媒分配膨張弁１０ａ，１０ｂ，１０ｃの開度を設定する。
【００５０】
以後、所定周期毎に、定格容量信号、差温信号、運転モード信号、運転停止信号に基づいて圧縮機３の周波数Ｎｏ．及び電動膨張弁１０ａ、１０ｂ、１０ｃの弁開度を算出し、圧縮機３の周波数制御及び電動膨張弁の開度制御が行われる。
【００５１】
次に、本発明の第１の実施例について、図５〜７を参照しながら説明する。図５は室内温度Ｔｒと設定温度Ｔｓとの差温ΔＴの温度ゾーン分割図。図６負荷定数テーブル図。図７はフローチャート図である。
【００５２】
まず、室内機１ａにおいて、室内吸込み温度（Ｔｒ）と設定温度（Ｔｓ）の差温ΔＴ（＝Ｔｒ−Ｔｓ）を算出し（フローチャートＳ１）、図６に示す負荷ナンバーＬｎ値に変換してこれを差温信号とするが、急速運転設定装置１３ａが設定されると（Ｓ２）、冷房運転の場合は（Ｓ３）、差温ΔＴに温度補正値Ｔｈａ（ここでは仮に２℃とする）追加（Ｓ５）し、これに対応する負荷ナンバーＬｎ値に変換（Ｓ１１）してこれを差温信号とする。暖房運転の場合、（Ｓ３）は差温ΔＴに温度補正値Ｔｈａ（ここでは仮に２℃とする）マイナス（Ｓ８）し、これに対応する負荷ナンバーＬｎ値に変換（Ｓ１３）してこれを差温信号とする。
【００５３】
しかし、ここではフローチャートに記載しないが、急速運転設定装置１３ａが設定されている場合は、負荷ナンバーＬｎ＝Ｌｍａｘ（ここでは例えばＬｎ＝８とする）に設定されるが、設定されていない時の最高負荷ナンバーはＬｎ＝Ｌｍａｘ−１に制限されるものとする（ここでは例えば７とする）。
【００５４】
例えば冷房運転時でＴｒ＝２７．３℃、Ｔｓ＝２６℃とすると、差温ΔＴ＝１．３℃でＬｎ＝６となるが、急速運転設定装置１３ａに急速運転が設定されると、ΔＴ＝１．３℃＋２℃＝３．３℃となりＬｎ＝８となる。しかし、冷房運転時でＴｒ＝３０℃、Ｔｓ＝２６℃とすると、差温ΔＴ＝４℃でＬｎ＝８の領域に有るが、急速運転設定装置１３ａに急速運転が設定されていないと、Ｌｎ＝８の領域ではなくＬｎ＝７の領域の負荷と判断する。Ｌｎ＝８の領域への移行は急速運転が設定された時のみとし、設定されていない時の負荷テーブルの上限はＬｎ＝７とする。
【００５５】
次に、急速運転設定装置１３ａに急速運転が設定（Ｓ４、Ｓ７）されかつ、図５のに示す負荷ナンバーＬｎ値がＬｎ＝Ｌｍａｘ（ここでは例えばＬｎ＝８）の領域にある場合（Ｓ１５、Ｓ１６）、ユーザーがリモコン等で設定した風量より数タップ（ここでは例えば２タップ）上の設定値に風量を自動的に変更する（Ｓ１７、Ｓ１８）。
【００５６】
例えば、ユーザーが風量をＭｅで設定していた場合は、風量はＨｉに変更される。また、フローチャートには記載しないが、ユーザーがＭｅ＋以上の風量の設定をしていた場合は、ユーザーよる外部操作では設定できないＨｉ設定を上回る空調負荷極大風量設定ＰＨｉとなるように風量設定変更を行う。
【００５７】
一方、急速運転設定装置１３ｂ、１３ｃが設定されていない室内機１ｂ、１ｃは、冷房運転の場合は差温ΔＴに補正値Ｔｈｂ（ここでは仮に２℃）マイナスし（Ｓ６）、これに対応する負荷ナンバーＬｎ値に変換（Ｓ１２）してこれを差温信号とする。暖房運転の場合は差温ΔＴに補正値Ｔｈｂ（ここでは仮に２℃）プラスし（Ｓ９）、これに対応する負荷ナンバーＬｎ値に変換（Ｓ１４）してこれを差温信号とする。
【００５８】
又、これもフローチャートに記載しないが、室内機１ａ、１ｂ、１ｃのそれぞれの定格容量信号、差温信号、運転モード信号、運転停止信号より図６に示す負荷定数テーブルから負荷定数を読みだし、この負荷定数の総和に定数を乗じて圧縮機３の周波数をおよび膨張弁１０の開度を決定する。
【００５９】
１例として、表４（ａ）のような２室運転時（１ｂ、１ｃ）に、表４（ｂ）のようにもう１室（１ａ）を急速運転で立ち上げた場合を説明する。
【００６０】
【表４】
0004151219.tif 000005
【００６１】
風量はすべてＭｅ＋の設定とする。
【００６２】
例えば冷房運転時でａ室停止、ｂ室Ｔｒ＝２５．３℃、Ｔｓ＝２６℃、ｃ室Ｔｒ＝２７．３℃、Ｔｓ＝２６℃とすると、差温ΔＴｂ＝―０．８℃でＬｎ＝２、差温ΔＴｃ＝１．３℃でＬｎ＝６となり、室内機１ａ、１ｂ、１ｃの負荷定数はそれぞれ０、０．４，２．４となり、従って圧縮機３の周波数Ｈｚは、Ａを定数とすると
Ｈｚ＝Ａ×（０＋０．４＋２．４）＝Ａ×２．８
となる。
【００６３】
この演算結果を周波数信号として圧縮機駆動装置（図示せず）に送出して圧縮機３の周波数及び膨張弁１０の開度の制御を行なう。
【００６４】
この時、ａ室がＴｒ＝２７．３℃、Ｔｓ＝２６℃、（差温ΔＴａ＝１．３℃でＬｎ＝６）の条件で急速運転で立ち上げると、急速運転設定装置１３ａが設定され、差温ΔＴに２℃追加しこれに対応する負荷ナンバーＬｎ値に変換してこれを差温信号とする。よって、ΔＴａ＝１．３℃＋２℃＝３．３℃となりＬｎ＝８となる。
【００６５】
一方、急速運転設定装置１３ｂ、１３ｃが設定されていない室内機１ｂ、１ｃは急速運転設定装置１３ａが設定されると、差温ΔＴに２℃マイナスしこれに対応する負荷ナンバーＬｎ値に変換してこれを差温信号とすると
ΔＴｂ＝−０．７℃―２℃＝−１．７℃となりＬｎ＝０
ΔＴｃ＝＋１．３℃―２℃＝−０．３℃となりＬｎ＝２
となる。
【００６６】
よって、室内機１ａ、１ｂ、１ｃの負荷定数はそれぞれ２．４、０，０．５となり、従って圧縮機３の周波数Ｈｚは、Ａを定数とすると
Ｈｚ＝Ａ×（２．４＋０＋０．５）＝Ａ×２．９となる。
【００６７】
この演算結果を周波数信号として圧縮機駆動装置（図示せず）に送出して圧縮機３の周波数の制御および膨張弁１０の開度の制御を行う。
【００６８】
次に、第２の実施例について、図５，６，８を参照しながら説明する。図５は室内温度Ｔｒと設定温度Ｔｓとの差温ΔＴの温度ゾーン分割図。図６負荷定数テーブル図。図８はフローチャート図である。
【００６９】
急速運転設定装置１３ａが設定されると（Ｓ２）、冷房運転の場合は、差温ΔＴに温度補正値Ｔｈａ（ここでは仮に２℃とする）プラスし（Ｓ５）、これに対応する負荷ナンバーＬｎ値に変換してこれを差温信号とする（Ｓ１５）。暖房運転の場合は、差温ΔＴに温度補正値Ｔｈａ（ここでは仮に２℃とする）マイナスし（Ｓ１０）、これに対応する負荷ナンバーＬｎ値に変換してこれを差温信号とする（Ｓ１７）。
【００７０】
しかし、ここではフローチャートに記載しないが、急速運転設定装置１３ａが設定されている場合は、負荷ナンバーＬｎ＝Ｌｍａｘ（ここでは例えばＬｎ＝８）に設定されるが、設定されていないの最高負荷ナンバーはＬｎ＝Ｌｍａｘ−１（ここでは例えばＬｎ＝７）に制限されるものとする。
【００７１】
次に、急速運転設定装置１３ａに急速運転が設定されかつ、図５のに示す負荷ナンバーＬｎ値がＬｎ＝Ｌｍａｘ（ここでは例えばＬｎ＝８）の領域にある場合（Ｓ１９、Ｓ２０）、ユーザーがリモコン等で設定した風量より数タップ（ここでは例えば２タップ）上の設定値に風量を自動的に変更する（Ｓ２１，Ｓ２２）。
【００７２】
一方、急速運転設定装置１３ｂ、１３ｃが設定されていない室内機１ｂ、１ｃは、現在の負荷ＬｎがＬａ以下（ここでは例えばＬａ＝２）かどうか判断し、Ｌｎ≦Ｌａの（ここでは例えばＬａ＝２以下）の場合は（Ｓ７、Ｓ１２）、冷房運転の場合は差温ΔＴに温度補正値Ｔｈｂ（ここでは例えば１℃）マイナスし（Ｓ８）、これに対応する負荷ナンバーＬｎ値に変換してこれを差温信号とする（Ｓ１６）。
【００７３】
暖房運転の場合は差温ΔＴに温度補正値Ｔｈｂ（ここでは例えば１℃）プラスし（Ｓ１３）、これに対応する負荷ナンバーＬｎ値に変換してこれを差温信号とする。（Ｓ１８）。Ｌｎ＝Ｌａ＋１（ここでは例えばＬｎ＝３）以上の場合は差温ΔＴの補正は行われない。
【００７４】
この演算結果より、フローチャートに記載しないが、図６に示す負荷定数テーブルから負荷定数を読みだし、この負荷定数の総和に定数を乗じて圧縮機３の周波数をおよび膨張弁１０の開度を決定する。
【００７５】
１例として、表５（ａ）のような２室運転時（１ｂ、１ｃ）に、表５（ｂ）のようにもう１室（１ａ）を急速運転で立ち上げた場合を説明する。
【００７６】
【表５】
0004151219.tif 000006
【００７７】
風量はすべてＭｅ＋の設定とする。
【００７８】
例えば冷房運転時でａ室停止、ｂ室Ｔｒ＝２５．３℃、Ｔｓ＝２６℃、ｃ室Ｔｒ＝２７．３℃、Ｔｓ＝２６℃とすると、差温ΔＴｂ＝―０．８℃でＬｎ＝２、差温ΔＴｃ＝１．３℃でＬｎ＝６となり、室内機１ａ、１ｂ、１ｃの負荷定数はそれぞれ０、０．４，２．４となり、従って圧縮機３の周波数Ｈｚは、Ａを定数とすると
Ｈｚ＝Ａ×（０＋０．４＋２．４）＝Ａ×２．８
となる。
【００７９】
この演算結果を周波数信号として圧縮機駆動装置（図示せず）に送出して圧縮機３の周波数の制御を行なう。この時、ａ室がＴｒ＝２７．３℃、Ｔｓ＝２６℃、（差温ΔＴａ＝１．３℃でＬｎ＝６）の条件で急速運転で立ち上げると、急速運転設定装置１３ａが設定され、差温ΔＴに２℃追加しこれに対応する負荷ナンバーＬｎ値に変換してこれを差温信号とする。よって、ΔＴａ＝１．３℃＋２℃＝３．３℃となりＬｎ＝８となる。
【００８０】
一方、急速運転設定装置１３ｂ、１３ｃが設定されていない室内機１ｂ、１ｃは急速運転設定装置１３ａが設定されると、現在の負荷がＬｎ＝２以下かどうか判断し、Ｌｎ＝２以下の場合は、差温ΔＴに２℃マイナスしこれに対応する負荷ナンバーＬｎ値に変換してこれを差温信号とする。Ｌｎ＝３以上の場合は差温ΔＴの補正は行われない。
よって、
ΔＴｂ＝−０．８℃ー２℃＝―２．８℃となりＬｎ＝０
ΔＴｂ＝  １．３℃ー０℃＝  １．３℃となりＬｎ＝６
のままである。
【００８１】
よって、室内機１ａ、１ｂ、１ｃの負荷定数はそれぞれ２．４、０、２．４となり、圧縮機３の周波数Ｈｚは、Ａを定数とすると  Ｈｚ＝Ａ×（２．４＋０＋２．４）＝Ａ×４．８となる。
【００８２】
この演算結果を周波数信号として圧縮機駆動装置（図示せず）に送出して圧縮機３の周波数の制御および膨張弁１０の制御を行う。
【００８３】
次に、第３の実施例について、図５、６，９を参照しながら説明する。図５は室内温度Ｔｒと設定温度Ｔｓとの差温ΔＴの温度ゾーン分割図。図６負荷定数テーブル図。図９はフローチャート図である。
【００８４】
急速運転設定装置１３ａに急速運転が設定されると、時間計数装置３０にて、急速運転が設定されてからの経過時間ｔを計数する（Ｓ３）。
【００８５】
その後、請求項１又は２と同様の制御を行うが（Ｓ４〜Ｓ１９）、経過時間ｔ＝ｔａ（ここでは例えば５分）時間経過すると（Ｓ２０〜２３）、急速運転設定装置１３ｂ、１３ｃに急速運転が設定されていない室内機１ｂ、１ｃの差温ΔＴを現在の負荷に対応した差温ΔＴ（補正してない温度）に戻し、（Ｓ３１，Ｓ３３）、圧縮機、送風機、膨張弁も現在の負荷に対応した設定値へ設定される。
【００８６】
一方、急速運転設定装置１３ａに急速運転が設定された室内機１ａは、急速運転が設定されてからの経過時間ｔ＝ｔｂ（ここでは例えば１時間）経過するか、（Ｓ２４、Ｓ２５）又は負荷領域ががＬｎ≦Ｌｍａｘ−１（ここでは例えばＬｎ＝７）の領域に入ると（Ｓ２６、Ｓ２７）、急速運転設定装置１３ａの設定をを
解除し、風量を元の状態に戻し（Ｓ２８，Ｓ２９）、差温ΔＴを現在の負荷に対応した差温ΔＴ（補正してない温度）に戻し（Ｓ３０，Ｓ３２）、圧縮機、送風機、膨張弁も現在の負荷に対応した設定値へ設定される。
【００８７】
次に、第４の実施例について、図５、６，１０を参照しながら説明する。図５は室内温度Ｔｒと設定温度Ｔｓとの差温ΔＴの温度ゾーン分割図。図６負荷定数テーブル図。図１０はフローチャート図である。
【００８８】
急速運転設定装置１３ａが設定されると、冷房運転の場合は差温ΔＴに温度補正値Ｔｈａ（ここでは例えば２℃）プラスし（Ｓ５）、これに対応する負荷ナンバーＬｎ値に変換してこれを差温信号とする。（Ｓ１５）。
【００８９】
暖房運転の場合は差温ΔＴに温度補正値Ｔｈａ（ここでは例えば２℃）マイナスし（Ｓ１０）、これに対応する負荷ナンバーＬｎ値に変換してこれを差温信号とする。（Ｓ１６）。
【００９０】
ただし、急速運転設定装置１３ａが設定されている場合は、負荷ナンバーＬｎ＝Ｌｍａｘ（ここでは例えばＬｎ＝８）に設定されるが、急速運転設定装置１３ａが設定されていない場合は、設定されていないの最高負荷ナンバーはＬｎ＝Ｌｍａｘ−１（ここでは例えばＬｎ＝７）に制限されるものとする。
【００９１】
また、急速運転設定装置１３ａに急速運転が設定されかつ、図５のに示す負荷ナンバーＬｎ値がＬｎ＝Ｌｍａｘ（ここでは例えばＬｎ＝８）の領域にある場合（Ｓ１７、Ｓ１８）、ユーザーがリモコン等で設定した風量より２段階上の設定値に風量を自動的に変更する（Ｓ１９，Ｓ２０）。一方、急速運転設定装置１３ｂ、１３ｃが設定されていない室内機１ｂ、１ｃは、現在の負荷ＬｎがＬａ（ここでは例えばＬａ＝２）以下かどうか判断し（Ｓ７、Ｓ１２）、  Ｌｎ≦Ｌａ以下（ここでは例えばＬｎ＝２以下）の場合は、室内機１３ｂ、１３ｃの送風機９ｂ、９ｃの運転を停止する（Ｓ８，Ｓ１３）。Ｌｎ＝Ｌａ＋１（ここでは例えばＬｎ＝３以上）以上の場合はこの動作を行わない。
【００９２】
この結果より、フローチャートに記載しないが、図６に示す負荷定数テーブルから負荷定数を読みだし、この負荷定数の総和に定数を乗じて圧縮機３の周波数をおよび膨張弁１０の開度を決定する。
【００９３】
次に、第５の実施例について、図５、６，１１を参照しながら説明する。図５は室内温度Ｔｒと設定温度Ｔｓとの差温ΔＴの温度ゾーン分割図。図６負荷定数テーブル。図１１はフローチャート図である。
【００９４】
急速運転設定装置１３ａに急速運転が設定されると、時間計数装置３０にて、急速運転が設定されてからの経過時間ｔを計数する。（Ｓ３）その後、請求項４と同様の制御を行うが（Ｓ４〜Ｓ２１）、経過時間ｔ＝ｔａ（ここでは例えば５分）時間経過すると（Ｓ２２〜２５）、急速運転設定装置１３ｂ、１３ｃに急速運転が設定されていない室内機１ｂ、１ｃは、送風機の運転を再開し（Ｓ３６，Ｓ３７）、圧縮機、送風機、膨張弁も現在の負荷に対応した設定値へ設定される。急速運転設定装置１３ａに急速運転が設定された室内機１ａは急速運転が設定されてからの経過時間ｔ＝ｔｂ（ここでは例えば１時間）経過するか（Ｓ２６，Ｓ２７）、又は負荷ＬｎがＬｎ≦Ｌｍａｘ−１（ここでは例えばＬｎ≦７）の領域に入ると（Ｓ２８，Ｓ２９）、急速運転設定装置１３ａの設定をを解除し、風量を元の設定に戻し（Ｓ３０，Ｓ３１）、差温ΔＴを現在の負荷に対応した差温ΔＴ（補正してない温度）に戻し、（Ｓ３２，Ｓ３３）、圧縮機、送風機、膨張弁も現在の負荷に対応した設定値へ設定される。
【００９５】
また図２に示した構成の場合でも、図１の室外機の冷媒分配膨張弁１０ａ，１０ｂ，１０ｃの制御を図２の分岐ユニット１６の冷媒分配膨張弁１０ａ、１０ｂ、１０ｃが行うもので制御動作は同等となることから説明は省略する。
【００９６】
【発明の効果】
本発明は、以上説明したように構成されているので、以下に記載されるような効果を奏する。
【００９７】
請求項１に記載の発明によれば、急速運転スイッチが押されていない（急速な空調の変化を要求されていない）室内機の能力を落とし、急速運転スイッチが押された（急速な空調の変化を要求されている）室内機の能力を上げるように、圧縮機のパワーを集中させ、風量を変化させることにより、負荷が高い（設定温度と室内雰囲気温度の温度差が大きい）部屋の空調を無理なく急激に変化させることが可能となる。
【００９８】
さらに、請求項２、４に記載の発明によれば、急速運転スイッチが押されていない（急速な空調の変化を要求されていない）室内機の能力を落とし（又は停止し）、急速運転スイッチが押された（急速な空調の変化を要求されている）室内機の能力を上げるように、圧縮機のパワーを集中させ、風量を変化させることにより、負荷が高い（設定温度と室内雰囲気温度の温度差が大きい）部屋の空調を無理なく急激に変化させることが可能となる。又、急速運転スイッチが押されてはいないが（急速な空調の変化を要求されていない）、負荷が高い（設定温度と室内雰囲気温度の温度差が大きい）部屋の室内機の能力は落とさないので、快適性への影響が少なくなる。
【００９９】
さらに、請求項３、５に記載の発明によれば、急速運転スイッチが押されていない（急速な空調の変化を要求されていない）室内機の能力を一時的に落とし（又は停止し）、急速運転スイッチが押された（急速な空調の変化を要求されている）室内機の能力を上げるように、圧縮機のパワーを集中させ、風量を変化させることにより、負荷が高い（設定温度と室内雰囲気温度の温度差が大きい）部屋の空調を無理なく急激に変化させることが可能となる。又、急速運転スイッチが押されてはいない（急激な空調の変化を要求されていない）部屋の室内機の能力は一時的に落とされるだけなので、快適性への影響がさらに少なくなる。
【図面の簡単な説明】
【図１】  本発明にかかる実施例の多室形空気調和装置の冷凍サイクルの配管系統およびセンサ配置図
【図２】  本発明にかかる実施例の多室形空気調和装置の冷凍サイクルの配管系統およびセンサ配置図
【図３】  本発明にかかる実施例の多室形空気調和装置の室内機の概略縦断面図
【図４】  本発明にかかる実施例の制御の流れを示すブロック図
【図５】  本発明にかかる実施例の差温△Ｔの温度ゾーン分割図
【図６】  本発明にかかる実施例の運転している室内機負荷定数の総和と圧縮機周波数の関係図
【図７】  本発明にかかる実施例１の制御を示すフローチャート
【図８】  本発明にかかる実施例２の制御を示すフローチャート
【図９】  本発明にかかる実施例３の制御を示すフローチャート
【図１０】  本発明にかかる実施例４の制御を示すフローチャート
【図１１】  本発明にかかる実施例５の制御を示すフローチャート
【図１２】  従来の多室形空気調和装置の冷凍サイクルの配管系統およびセンサ配置図
【図１３】  従来の多室形空気調和装置の制御の流れを示すブロック図
【図１４】  従来の多室形空気調和装置の差温△Ｔの温度ゾーン分割図
【図１５】  従来の多室形空気調和装置の運転している室内機負荷定数の総和と圧縮機周波数の関係図
【符号の説明】
１ａ、２ａ、３ａ  室内機
２  室外機
３  可変容量圧縮機
４  室外熱交換器
５  冷媒液側主管
６  冷媒ガス側主管
１０  電動膨張弁
１１ａ、１１ｂ、１１ｃ  室内温度検出装置
１３ａ、１３ｂ、１３ｃ  急速運転設定装置
１５  送風機
２２  差温算出装置
２４  室内温度設定記憶装置
２５  運転停止記憶装置
２７  急速運転記憶装置
２９  急速運転記憶装置
３０  時間計数装置
【図１】
0004151219.tif 000007
【図２】
0004151219.tif 000008
【図３】
0004151219.tif 000009
【図４】
0004151219.tif 000010
【図５】
0004151219.tif 000011
【図６】
0004151219.tif 000012
【図７】
0004151219.tif 000013
【図８】
0004151219.tif 000014
【図９】
0004151219.tif 000015
【図１０】
0004151219.tif 000016
【図１１】
0004151219.tif 000017
【図１２】
0004151219.tif 000018
【図１３】
0004151219.tif 000019
【図１４】
0004151219.tif 000020
【図１５】
0004151219.tif 000021